(57)【要約】【課題】化粧プレートの上下方向及び左右方向（横方向）の両方向に対して確実な固定を行うと共に、美観にも優れた化粧プレート固定機構を提供する。【解決手段】化粧プレート固定機構１０は、取付補助枠１が、配線器具取付枠の縁を囲む額縁形状及び弾性を有し、額縁形状の上下の端部が裏側から表側に向かって各々テーパー状に突出する突出部１１を有し、上下の突出部１１近傍に各々少なくとも１つずつ配設される楕円錐台状の凸部からなり、この凸部の上面と底面の左右方向の楕円半径が同じである楕円錐台状の固定部１２とを備え、化粧プレート２が、裏側の上下の端部近傍でこの取付補助枠１の上下の突出部１１に各々嵌合可能に陥没形成されたテーパー形状からなる嵌合凹部２１と、取付補助枠１の固定部１２の底面と同じ形状で固定部を挿入固定可能に陥没形成された支持部２２とを備える。【選択図】図１
2015077001.tif 000002
【特許請求の範囲】
【請求項１】
コンセント又はスイッチの配線器具取付枠に固定させる取付補助枠と、当該取付補助枠に着脱自在に係合される化粧プレートとから成る化粧プレート固定機構であって、
前記取付補助枠が、前記配線器具取付枠の縁を囲む額縁形状を有し、当該額縁形状の上下の端部の少なくともいずれかの端部近傍に弾性を有し、当該額縁形状の上下の端部が裏側から表側に向かって各々テーパー状に突出する突出部を有し、当該上下の突出部近傍に各々少なくとも１つずつ配設される楕円錐台状の凸部からなり、当該凸部の上面と底面の左右方向の楕円半径が同じである楕円錐台状の固定部とを備え、
前記化粧プレートが、裏側の上下の端部近傍で前記取付補助枠の上下の前記突出部に各々嵌合可能に陥没形成されたテーパー形状からなる嵌合凹部と、前記取付補助枠の前記固定部の底面と同じ形状で前記固定部を挿入固定可能に陥没形成された支持部とを備えることを特徴とする化粧プレート固定機構。
【請求項２】
請求項１に記載の化粧プレート固定機構において、
前記取付補助枠が、前記上下の突出部の少なくともいずれかの近傍に配設され、弾性により伸縮して変形する変形孔を備えることを特徴とする化粧プレート固定機構。
【請求項３】
請求項１又は請求項２に記載の化粧プレート固定機構において、
前記取付補助枠が、前記固定部を、前記額縁形状の四隅近傍に各々１つずつ備えることを特徴とする化粧プレート固定機構。
【発明の詳細な説明】
【技術分野】
【０００１】
本発明は、配線器具の化粧・保護をする化粧プレートの固定機構に関し、特に、確実な固定と美観を両立させる化粧プレート固定機構に関する。
【背景技術】
【０００２】
従来から、家屋やビルにおけるコンセント又はスイッチ等の配線器具には、化粧プレートが設けられている。これらは保護を目的とするばかりではなく、外面に模様を施したり、材質に陶器や石などを用いたりすることで意匠的な工夫もなされている。
【０００３】
しかし、従来の方法では、化粧プレートを固定する際に、化粧プレートの表側から裏側に向かって貫通する捻子を使って螺合により固定していたため、捻子山が化粧プレートの表面に露出し、化粧プレートの美観が損なわれる原因となっていた。
【０００４】
このため、捻子を表面に露出させることなく化粧プレートを固定する様々な方法が提案されている。例えば、化粧プレートの裏側に、壁側に取り付けられた柔軟性のある取付補助枠を用いて固定する方法がある。例えば、化粧プレートの裏面に突起部をつくり、それをプラスチック等の柔軟性のある取付補助枠の窪みに引っ掛けて固定させるものがある（特許文献１参照）。
【０００５】
しかしこの方法では、化粧プレートに突起部をつくるため、化粧プレートが特に木材などのように弾性に乏しく複雑な加工が困難な材質の場合には、当該化粧プレートの加工時、取付け時、又は取外し時に割れが生じやすく不向きである。
【０００６】
そのため、化粧プレート固定機構において、当該取付補助枠を改良した様々な方法が提案されている。例えば、化粧プレートと当該化粧プレートを自在に配線器具取付枠に着脱させることができる取付補助枠から成り、当該取付補助枠は端部に変形孔を設けることで弾性をもたせ、当該化粧プレートの裏面に施されたテーパー面と、当該取付補助枠の端部に設けられたテーパー面とを、嵌合して固定する化粧プレート固定機構が開示されている（特許文献２参照）。
【先行技術文献】
【特許文献】
【０００７】
【特許文献１】特開平７−１０７６４０号公報
【特許文献２】特開２００５−１６８２２７号公報
【発明の概要】
【発明が解決しようとする課題】
【０００８】
しかし、特許文献２で示されるような従来の化粧プレート固定機構では、化粧プレートを上下方向で取付補助枠と嵌合固定することにより捻子を表面に露出させないものの、外部から化粧プレートの左右方向（横方向）に力が加えられた場合には、化粧プレートの固定が不安定になり、快適な使用を妨げる虞がある。
【０００９】
特に近年では、スイッチの押しボタンの大型化に伴って、化粧プレート全面にわたる大型のボタンが普及しており、外部から化粧プレートの左右方向（横方向）に力が加えられるケースは増加している。このため、化粧プレートの不安定な固定が常態化することによって、スイッチの押圧動作自体が妨げられ、スイッチの機能自体が不能となる虞もある。
【００１０】
本発明は前記課題を解消するためになされたもので、化粧プレートの上下方向及び左右方向（横方向）の両方向に対して確実な固定を行うと共に、美観にも優れた化粧プレート固定機構の提供を目的とする。
【課題を解決するための手段】
【００１１】
本願に開示する化粧プレート固定機構は、コンセント又はスイッチの配線器具取付枠に固定させる取付補助枠と、当該取付補助枠に着脱自在に係合される化粧プレートとから成る化粧プレート固定機構であって、前記取付補助枠が、前記配線器具取付枠の縁を囲む額縁形状を有し、当該額縁形状の上下の端部の少なくともいずれかの端部近傍に弾性を有し、当該額縁形状の上下の端部が裏側から表側に向かって各々テーパー状に突出する突出部を有し、当該上下の突出部近傍に各々少なくとも１つずつ配設される楕円錐台状の凸部からなり、当該凸部の上面と底面の左右方向の楕円半径が同じである楕円錐台状の固定部とを備え、前記化粧プレートが、裏側の上下の端部近傍で前記取付補助枠の上下の前記突出部に各々嵌合可能に陥没形成されたテーパー形状からなる嵌合凹部と、前記取付補助枠の前記固定部の底面と同じ形状で前記固定部を挿入固定可能に陥没形成された支持部とを備えるものである。
【００１２】
このように、本願に開示する化粧プレート固定機構によれば、前記取付補助枠の上下の端部の少なくともいずれかの端部近傍に弾性を有し、前記化粧プレートの前記支持部における左右方向の長さが、前記取付補助枠の前記固定部の上面及び底面の長さと一致することから、弾性によって前記取付補助枠の突出部と前記化粧プレートの嵌合凹部が嵌合されて前記化粧プレートの上下方向が確実に固定されると共に、前記取付補助枠の前記固定部が、前記化粧プレートの支持部に挿入され、前記化粧プレートの左右方向も確実に固定されることとなり、前記化粧プレートの上下方向及び左右方向の各方向に対して強固に固定することができる。
【００１３】
また、本願に開示する化粧プレート固定機構は、必要に応じて、前記取付補助枠が、前記上下の突出部の少なくともいずれかの近傍に配設され、弾性により伸縮して変形する変形孔を備えるものである。このように、本願に開示する化粧プレート固定機構によれば、前記取付補助枠が弾性により伸縮して変形する変形孔を前記上下の突出部の少なくともいずれかの近傍に備えることから、前記取付補助枠が前記化粧プレートとの嵌合部分である上下の端部のうち少なくとも１つの端部での弾性度合いが高められることとなり、前記取付補助枠を前記化粧プレートに容易に嵌め込むことが可能となり、前記化粧プレートとの嵌め込み作業の効率を高めることができる。
【００１４】
また、本願に開示する化粧プレート固定機構は、必要に応じて、前記取付補助枠が、前記固定部を、前記額縁形状の四隅近傍に各々１つずつ備えるものである。このように、本願に開示する化粧プレート固定機構によれば、前記固定部が、前記化粧プレートの上下方向及び左右方向の各方向に対して、少ない個数で対称配置されることとなり、前記化粧プレートをより強固に且つ低コストで固定することができる。
【図面の簡単な説明】
【００１５】
【図１】本発明の第１の実施形態に係る化粧プレート固定機構の化粧プレート裏側の形状と取付補助枠を示す斜視図である。
【図２】本発明の第１の実施形態に係る化粧プレート固定機構の化粧プレート及び取付補助枠の接合時の正面図、側面図、及び上面図である。
【図３】本発明の第１の実施形態に係る化粧プレート固定機構の化粧プレート及び取付補助枠の上下の端部近傍における断面図である。
【図４】本発明の第１の実施形態に係る化粧プレート固定機構の化粧プレート及び取付補助枠の接合に係る断面図である。
【図５】本発明の第１の実施形態に係る化粧プレート固定機構による配線器具に対する固定機構の分解斜視図である。
【図６】本発明の第１の実施形態に係る化粧プレート固定機構の化粧プレート及び取付補助枠の接合に係る上下の端部を拡大した断面図である。
【図７】本発明の第１の実施形態に係る化粧プレート固定機構の化粧プレート及び取付補助枠を壁面に固定した断面図である。
【図８】本発明の第２及び第３の実施形態に係る化粧プレート固定機構の化粧プレート裏側の形状と取付補助枠を示す斜視図である。
【図９】本発明の第３の実施形態に係る化粧プレート固定機構の化粧プレート及び取付補助枠の接合時の正面図、側面図、及び上面図である。
【００１６】
（第１の実施形態）
以下、第１の実施形態に係る化粧プレート固定機構１０を、図１〜図７に基づいて説明する。図１は、本発明の第１の実施形態に係る化粧プレート固定機構の化粧プレート裏側の形状と取付補助枠を示す斜視図を示す。図２は、この化粧プレート固定機構の化粧プレート及び取付補助枠の接合時の正面図、側面図、及び上面図を示す。図３は、この化粧プレート固定機構の化粧プレート及び取付補助枠の上下の端部近傍における断面図を示す。図４は、この化粧プレート固定機構の化粧プレート及び取付補助枠の接合に係る断面図を示す。図５は、この化粧プレート固定機構による配線器具に対する固定機構の分解斜視図を示す。図６は、この化粧プレート固定機構の化粧プレート及び取付補助枠の接合に係る上下の端部を拡大した断面図を示す。図７は、この化粧プレート固定機構の化粧プレート及び取付補助枠を壁面に固定した断面図を示す。
【００１７】
本実施形態に係る化粧プレート固定機構１０は、図１（ａ）に示すように、コンセント又はスイッチの配線器具取付枠に固定させる取付補助枠１と、この取付補助枠１に着脱自在に係合される化粧プレート２を備える構成である。
【００１８】
本実施形態に係る化粧プレート固定機構１０は、この取付補助枠１が、この配線器具取付枠の縁を囲む額縁形状を有し、この額縁形状の上下の端部の少なくともいずれかの端部近傍に弾性を有し、この額縁形状の上下の端部が裏側から表側に向かって各々テーパー状に突出する突出部１１を有し、この上下の突出部１１近傍に各々少なくとも１つずつ配設される楕円錐台状の凸部からなり、この凸部の上面と底面の左右方向の楕円半径が同じである楕円錐台状の固定部１２とを備え、この化粧プレート２が、裏側の上下の端部近傍でこの取付補助枠１の上下のこの突出部１１に各々嵌合可能に陥没形成されたテーパー形状からなる嵌合凹部２１と、この取付補助枠１の固定部１２の底面と同じ形状でこの固定部を挿入固定可能に陥没形成された支持部２２とを備える構成である。
【００１９】
この取付補助枠１は、この額縁形状の上下の端部のいずれかの端部近傍における上下方向の弾性を高めるために、この上下の突出部１１のいずれかの近傍に配設されて弾性により変形する変形孔１１ａと、この変形孔１１ａの外側部分として形成される変形縁１１ｂを備える。
【００２０】
この取付補助枠１を構成する固定部１２は、楕円形状の上面１２ａ及び楕円形状の底面１２ｂから形成される。この化粧プレート２を構成する支持部２２は、陥没形成された楕円形状の窪部２２ａと、この化粧プレート２の表面に沿った楕円形状の開口部２２ｂから形成される。
【００２１】
この取付補助枠１は、弾性のある材質、例えばプラスチック等から形成され、コンセント又はスイッチの配線器具取付枠に固定することによって、化粧プレート２を壁面で保持する。この取付補助枠１は、この配線器具取付枠との固定を行うために、例えば、この配線器具取付枠を貫通した捻子を固定させる固定孔１３を有することができる。また、この取付補助枠１の額縁形状の中央部には、コンセント又はスイッチの配線器具の機能部分（例えば、スイッチボタンや差込口）を通して表側に露出させるための孔である補助枠側配線器具孔１４を有する。
【００２２】
この化粧プレート２は、木材等から形成され、建物内壁面、建物外壁面、建物床面等の造営面の表面に露出して使用されることで、コンセント又はスイッチの配線器具の保護及び化粧に用いられる。また、この化粧プレート２の中央部には、コンセント又はスイッチの配線器具の機能部分（例えば、スイッチボタンや差込口）を露出させるための長方形状のプレート側配線器具孔２３を有する。尚、この化粧プレート２は、必要に応じて、図１（ｂ）に示すように、取付け及び取外しの作業を円滑化するために、マイナスドライバー等が差し込める程度の大きさの差込口２４を設けることができる。
【００２３】
このような構成のもとで、図２の正面図、側面図、及び上面図に示すように、この突出部１１とこの嵌合凹部２１が嵌合すると共に、この固定部１２とこの支持部２２が固定されることによって、この取付補助枠１とこの化粧プレート２が固定される。
【００２４】
この取付補助枠１とこの化粧プレート２の固定機構について、以下に説明する。
まず、この取付補助枠１は、図３（ａ）に示す断面形状を有する。同図に示すように、この突出部１１の上下の短周縁には、この取付補助枠１の裏側から表側に向かうにつれて長さＬ１の拡がりをもつ拡開状の傾斜面をもつテーパー形状がつけられている。
【００２５】
この固定部１２の断面について、左右方向（横方向）（Ａ−Ａ’断面）では、楕円錐台状を有する固定部１２の上面１２ａ及び底面１２ｂの左右方向（横方向）の長さが等しいことから、固定部１２の断面は長方形状となる。また、上下方向（Ｂ−Ｂ’断面）では、この固定部１２の上面１２ａの楕円半径が、底面１２ｂの楕円半径よりも、上述したこの突出部１１のテーパー形状で裏側から表側にかけて拡開した長さＬ１分だけ小さく、この固定部１２の断面は台形状となる。
【００２６】
この化粧プレート２は、図３（ｂ）に示す断面形状を有する。同図に示すように、この嵌合凹部２１の上下の短周縁には、この嵌合凹部２１の内側へ行くほどくい込みが深くなる傾斜方向、すなわち、この化粧プレート２の裏側から表側に向かうにつれて長さＬ１の拡がりをもつ拡開状の傾斜面をもつテーパー形状がつけられている。
【００２７】
この支持部２２の断面について、左右方向（横方向）（Ｃ−Ｃ’断面）では、楕円錐台状を有する支持部２２の窪部２２ａ及び開口部２２ｂの左右方向（横方向）の長さが等しいことから、支持部２２の断面は長方形状となる。また、上下方向（Ｄ−Ｄ’断面）では、この支持部２２の開口部２２ｂの楕円半径が、この窪部２２ａの楕円半径よりも、上述したこの嵌合凹部２１のテーパー形状で裏側から表側にかけて拡開した長さＬ１分だけ小さく、この支持部２２の断面は台形状となる。
【００２８】
このような構成の取付補助枠１及び化粧プレート２によって、図４（ａ）に示すように、この突出部１１とこの嵌合凹部２１が嵌合すると共に、この固定部１２とこの支持部２２が固定されることによって、この取付補助枠１とこの化粧プレート２が固定される。この取付補助枠１及び化粧プレート２の上下の端部においては、図４（ｂ）に示すように、この突出部１１とこの嵌合凹部２１が、共に長さＬ１の拡がりをもつ拡開状の傾斜面のテーパー形状によって、滑り込むように嵌合すると同時に、この固定部１２とこの支持部２２が、同じ長さＬ１分だけ拡開した円錐斜面を滑りながら挿入されて固定される。
【００２９】
このように、この取付補助枠１が上下の端部の一方の端部近傍に弾性を有し、この化粧プレート２の支持部２２における左右方向（横方向）の長さが、この取付補助枠１の固定部１２の上面及び底面の長さと一致することから、弾性によってこの取付補助枠１の突出部と前記化粧プレートの嵌合凹部が嵌合されてこの化粧プレート２の上下方向が確実に固定されると共に、この取付補助枠１の固定部１２が、この化粧プレート２の支持部２２に挿入され、この化粧プレート２の左右方向（横方向）も確実に固定されることとなり、この化粧プレート２の上下方向及び左右方向（横方向）の各方向に対して強固に固定することができる。
【００３０】
（固定機構）
本実施形態に係る化粧プレート固定機構１０による配線器具に対する固定機構の例について、図５に基づいて説明する。本実施形態では、図５の分解斜視図に示すように、上述した本実施形態に係る化粧プレート２及び取付補助枠１を、アウトレットボックス４００に収容された配線器具取付枠３００に固定する。
【００３１】
この配線器具取付枠３００は、中央部に配設されたスイッチ又はコンセント差込口等の配線器具３０１と、この配線器具３０１を固定するための金属又はプラスチックから形成された配線器具固定枠３０２と、この化粧プレート２の固定孔１３で固定された取付捻子１０１を用いてこの化粧プレート２を螺合するための捻子孔３０３と、このアウトレットボックス４００の固定に用いる取付捻子１０２を固定・調整するための調整孔３０４とを備える構成である。
【００３２】
このアウトレットボックス４００は、金属又はプラスチックから形成された箱状の形状を有し、この取付捻子１０２を用いてこの配線器具取付枠３００を螺合するための捻子孔３０３を備える構成である。このアウトレットボックス４００は、通常、建物内壁面、建物外壁面、建物床面等の造営面の中に埋め込み固定されて使用される。
【００３３】
この取付捻子１０２を用いて、この配線器具取付枠３００と、壁面に埋没して固定されたこのアウトレットボックス４００とを螺合により固定する。次に、この取付捻子１０１を用いてこの配線器具取付枠３００と、この取付補助枠１とを螺合により固定する。この配線器具取付枠３００は、捻子孔４０１と調整孔３０４とが一致するようにアウトレットボックス４００に被せて、取付捻子１０１を用いて螺合によりアウトレットボックス４００と固定する。この固定によって、図６に示すように、この配線器具取付枠３００及びアウトレットボックス４００が壁面に取付けられた状態となる。
【００３４】
この配線器具取付枠３００の上にこの取付補助枠１をこの固定孔１３とこの捻子孔３０３の軸が一致するように被せて、この取付捻子１０１をこの固定孔１３に挿入し、この捻子孔３０３に螺合して締める。これによってこの取付補助枠１は壁面に固定される。
【００３５】
次に、この化粧プレートの裏面とこの取付補助枠１と対向するように向け、図中のＢ方向から壁面に向かってこの化粧プレート２を押し付けるようにしてこの取付補助枠１に取り付ける。
【００３６】
この取付補助枠１は、プラスチック等の弾性のある材質から形成されることから、図５に示すＡ方向から圧力が加わると、上下方向に応力によって変形し、この取付補助枠１の長さが縮むこととなる。
【００３７】
この性質を用いて、図６に示すように、この取付捻子１０１を用いてこの配線器具取付枠３００に取り付けられたこの取付補助枠１に対して、この化粧プレート２を図６に示す矢印方向から押し付けることによって、この取付補助枠１の嵌合凹部２１はこの化粧プレート２の点Ｃで加えられる応力によって変形することとなり、この取付補助枠１の長さが縮み、この取付補助枠１の突出部１１はこの嵌合凹部２１の中に滑り込むように押し込められる。
【００３８】
このように押し込められて圧縮された取付補助枠１は、弾性を有するため、元の長さに戻ろうとする力が働く。この取付補助枠１にはこの突出部１１が配設され、この化粧プレート２には嵌合凹部２１が配設されることから、この取付補助枠１の元に戻ろうとする力によってこの化粧プレート２は壁に引き寄せられる。また、この突出部１１の厚みとこの嵌合凹部２１の深さによって、この突出部１１はこの嵌合凹部２１の中で元に戻りきることがなく、常に元に戻ろうとする力が働くことによって上下方向が固定される。
【００３９】
この取付補助枠１の突出部１１とこの化粧プレート２の嵌合凹部２１が嵌合により固定され、この化粧プレート２の上下方向が固定されると同時に、この化粧プレート２の支持部２２が、この取付補助枠１の固定部１２に挿入固定される。この化粧プレート２の支持部２２における左右方向（横方向）の長さは、この取付補助枠１の固定部１２の上面及び底面の長さと一致することから、この取付補助枠１の固定部１２が、この化粧プレート２の支持部２２に挿入された際に、この取付補助枠１及び化粧プレート２の左右方向（横方向）も確実に固定されることから、この取付補助枠１及び化粧プレート２の上下方向及び左右方向（横方向）の各方向に対しても強固な固定が得られる。このようにして、この化粧プレート２はこの取付補助枠１に強固に固定され、壁面に取り付けられる。
【００４０】
尚、この突出部１１及び嵌合凹部２１は、同方向の傾斜（テーパー）がつけてあり、このテーパーの角度を壁面に対し７５度程度にするとこの化粧プレート２を取付補助枠１に取り付けやすく、取り付け後もガタついたりすることなく固定させることができる。
【００４１】
尚、前述の図１（ｂ）に示したように、この化粧プレート２は差込口２４を備えてもよく、この場合には、この差込口２４からマイナスドライバー等の器具をこの化粧プレート２に差し込むことによって、この化粧プレート２を取り外すことができる。この取り外しについては、この取付補助枠１の弾性を利用して、この取付補助枠１の下部を上方に持ち上げるように変形させることで、この取付補助枠１の上下方向の大きさが縮まることとなり、嵌合していたこの突出部１１及び嵌合凹部２１が外れると共に、挿入固定されていたこの支持部２２及びこの固定部１２が外れることとなり、この化粧プレート２を特殊な道具や技術を必要とすることなくこの取付補助枠１から容易に外すことができる。
【００４２】
（第２の実施形態）
本願の化粧プレート固定機構に関する第２の実施形態を、図８（ａ）を用いて説明する。図８（ａ）は、本実施形態に係る化粧プレート固定機構の化粧プレート裏側の形状と取付補助枠を示す斜視図である。第２の実施形態では、上記の実施形態において、図８（ａ）に示すように、この変形孔１１ａ及び変形縁１１ｂをこの上下の突出部１１の各々の近傍に備える構成である。この変形孔１１ａ及び変形縁１１ｂを上下の突出部１１の各々の近傍に備えることによって、この取付補助枠１は、この化粧プレート２との嵌合部分である上下の各端部での弾性度合いが高まることとなり、上下方向の伸縮によってこの化粧プレート２に容易に嵌め込むことができ、この化粧プレート２との嵌め込み作業の効率が高められる。
【００４３】
（第３の実施形態）
本願の化粧プレート固定機構に関する第３の実施形態を、図８（ｂ）及び（ｃ）、及び図９を用いて説明する。図８（ｂ）及び（ｃ）は、本実施形態に係る化粧プレート固定機構の化粧プレート裏側の形状と取付補助枠を示す斜視図を示す。図９は、本実施形態に係る化粧プレート固定機構の化粧プレート及び取付補助枠の接合時の正面図、側面図、及び上面図を示す。第３の実施形態では、図８（ｂ）及び（ｃ）に示すように、上述した各実施形態において、前記取付補助枠１が、前記固定部１２を、前記額縁形状の四隅近傍に各々１つずつ備える構成である。この場合には、図９の正面図、側面図、及び上面図に示すように、この突出部１１とこの嵌合凹部２１が嵌合すると共に、この固定部１２とこの支持部２２が４箇所で固定されることによって、この取付補助枠１とこの化粧プレート２がより強固に固定される。
【００４４】
このように、本実施形態に係る化粧プレート固定機構１０によれば、前記固定部１２が、前記化粧プレート２の上下方向及び左右方向の各方向に対して、少ない個数で対称的に配置されることとなり、前記化粧プレート２をより強固に且つ低コストで固定することができる。
【００４５】
（その他の実施形態）
尚、その他の実施形態としては、上述した各実施形態において、前記取付補助枠１の前記固定部１２の底面１２ｂが、円形状を有することもできる。このように、本実施形態に係る化粧プレート固定機構１０によれば、前記固定部１２の底面１２ｂが、楕円形状のうち最も簡素な形状である円形状であることから、前記固定部１２の底面１２ｂの形状を低コストで製造できることとなり、より製造コストを抑えて前記化粧プレート２の固定を行えることができる。
【００４６】
尚、上記の各実施形態では、化粧プレートのうち、特に壁面に設置されたスイッチ又はコンセント自体に使用する化粧プレートについて説明したが、本願発明に係る実施形態は、この形態に限定されるものではなく、例えば、スイッチ又はコンセントを含む配線器具や警報機などを覆うための各種の化粧プレートに対しても、上記の各実施形態と同様にして適用することができる。
【符号の説明】
【００４７】
１０ 化粧プレート固定機構
１  取付補助枠
１１  突出部
１１ａ  変形孔
１１ｂ  変形縁
１２  固定部
１３  固定孔
１４  補助枠側配線器具孔
２  化粧プレート
２１  嵌合凹部
２２  支持部
２２ａ  窪部
２２ｂ  開口部
２３  プレート側配線器具孔
２４  差込口
１０１  取付捻子
１０２  取付捻子
３００  配線器具取付枠
３０１  配線器具
３０２ 配線器具固定枠
３０３ 捻子孔
３０４ 調整孔
４００ アウトレットボックス
４０１ 捻子孔
【図１】
2015077001.tif 000003
【図２】
2015077001.tif 000004
【図３】
2015077001.tif 000005
【図４】
2015077001.tif 000006
【図５】
2015077001.tif 000007
【図６】
2015077001.tif 000008
【図７】
2015077001.tif 000009
【図８】
2015077001.tif 000010
【図９】
2015077001.tif 000011